(57)【要約】【課題】本発明は、軽量で容易に持ち運ぶことができ、薄く形状の自由度があるため容易に装着することができ、しかも安価で、電源が不要で即座に温かくなり、さらには、過暖房の際には即座に冷たくなるシート部材としても提供する。【解決手段】本発明は、商用電源や充電器を必要としない簡易熱源部材５と、該簡易熱源部材５を収納する収納袋２と、該簡易熱源部材５からの熱を熱伝導させる略長方形状をなすシート状の熱伝導部材３と、前記簡易熱源部材５入り収納袋２と前記熱伝導部材３とを外側からカバーするカバーシート６とを備え、前記略長方形状をなす熱伝導部材３の略中央位置に取り付けた簡易熱源部材５からの熱を熱伝導部材３の両端部側まで伝導可能としたことを特徴とする。【選択図】図１
2022002607.tif 000002
【特許請求の範囲】
【請求項１】
商用電源や充電器を必要としない簡易熱源部材と、該簡易熱源部材を収納する収納袋と、該簡易熱源部材からの熱を熱伝導させる略長方形状をなすシート状の熱伝導部材と、前記簡易熱源部材入り収納袋と前記熱伝導部材とを外側からカバーするカバーシートとを備え、
前記略長方形状をなす熱伝導部材の略中央位置に取り付けた簡易熱源部材からの熱を熱伝導部材の両端部側まで伝導可能とした、
ことを特徴としたシート部材。
【請求項２】
前記簡易熱源部材は、使い捨てカイロあるいは保冷剤である、
ことを特徴とした請求項１記載のシート部材。
【発明の詳細な説明】
【技術分野】
【０００１】
本発明は、例えばひざ掛けなどのシート部材に関するものである。
【背景技術】
【０００２】
近年、いわゆる地球温暖化が急速に進み、室内を適正温度にする空調装置の必要性が高まっているが、特に冷房の際に室内の冷房が効き過ぎる環境も目立ってきている。
すなわち近年では、空調が効き過ぎる環境下で生活や仕事をしなければならないことが多くなってきており、寒さを感じるのは、冬場だけではない状況になっている。
特に女性では体の一部分の冷え性に悩んでいる人が多く存在しているため、熱中症対策だけでなく過冷房対策も不可欠な事態となってきている。
【０００３】
ここで、従来から存在する過冷房対策製品について説明すると、例えば腰を温めるものとして、遠赤外線生地を用いた腹巻があるが、高額であることと、環境によっては効果を発揮できず、体温より暖かい熱を安定的に提供するものではないとの課題があった。
また、充電池を熱源としたベルト状のものもあるが、高額であることと、重量があり、かさ張るとの課題があった。
他にも、過暖房時や熱中症対策として額全体を冷やすものとして、額全体の大きさの保冷剤を鉢巻き状にしたものがあるが、額を覆う大きさの保冷剤は重く、凍っている使用初期は硬く使用感が悪いとの課題があった。
【０００４】
かくして、本発明は前記従来の課題に対処すべく創案されたものであり、軽量で容易に持ち運ぶことができ、薄く形状の自由度があるため容易に装着することができ、しかも安価で、電源が不要で即座に温かくなり、さらには、過暖房の際には即座に冷たくなるシート部材としても提供することを目的とするものである。
【先行技術文献】
【特許文献】
【０００５】
【特許文献１】実用新案登録第３２２２８８８号
【発明の概要】
【発明が解決しようとする課題】
【０００６】
本発明は、前記従来の課題に対処すべく創案されたものであり、容易に持ち運ぶことができ、容易に装着することができ、しかも安価で、電源が不要で、即座に温かくなり、あるいは、例えば過暖房の際に即座に冷たくなるシート部材を提供することを目的とするものである。
【課題を解決するための手段】
【０００７】
本発明のシート部材は、
商用電源や充電器を必要としない簡易熱源部材と、該簡易熱源部材を収納する収納袋と、該簡易熱源部材からの熱を熱伝導させる略長方形状をなすシート状の熱伝導部材と、前記簡易熱源部材入り収納袋と前記熱伝導部材とを外側からカバーするカバーシートとを備え、
前記略長方形状をなす熱伝導部材の略中央位置に取り付けた簡易熱源部材からの熱を熱伝導部材の両端部側まで伝導可能とした、
ことを特徴とし、
または、
前記簡易熱源部材は、使い捨てカイロあるいは保冷剤である、
ことを特徴とするものである。
【発明の効果】
【０００８】
本発明によるシート部材であれば、容易に持ち運ぶことができ、容易に装着することができ、しかも安価で、電源が不要で、即座に温かくなり、また即座に冷たくなるとの優れた効果を奏する。
【図面の簡単な説明】
【０００９】
【図１】本発明の実施例の構成を説明する説明図（１）である。
【図２】本発明の実施例の構成を説明する説明図（２）である。
【発明を実施するための形態】
【００１０】
以下、本発明を図１、図２に基づいて説明する。
発明のシート部材１は、例えば、使い捨てカイロ、あるいは保冷剤など商用電源を必要とせず、しかも充電器をも必要としないいわゆる簡易熱源部材５を熱源としている。そして、その熱源をその周囲に広げられる機能を有するシート状の熱伝導部材３を有して構成されたものである。
さらに、全体的に柔らかさがあり、しかも重量の軽いシート部材１として構成した。
また、使い捨てカイロを簡易熱源部材５として用いる場合は、その温かさが熱伝導部材３を介して前記カイロの周囲に広げて伝えられることができる構成としてある。
【００１１】
すなわち、熱伝導部材３を例えばベルト状（帯状）にし、その中央に簡易熱源部材５を配置してシート部材１を形成したとき、例として該シート部材１を腰の部分に添着して用いると、その簡易熱源部材５からの熱を背骨の位置から左右に広げられるので、背骨の部分は熱過ぎずに腰全体を長時間継続してほんのり温められるとの効果を得られるものとなる。
【００１２】
また、即座に冷やさなければならない場合は、例えば、保冷剤を簡易熱源部材５として用いる場合であり、その冷たさはシート状をなす熱伝導部材５によって保冷剤の周囲に広げて伝えられる。そのため、例えば鉢巻き状にしたものの額の中心部分に保冷剤を置き、額全体の大きさの熱伝導部材３を配置すると、額の中心だけが冷たすぎることなく、額全体を冷やすことができるシート部材１となるのである。
【００１３】
このシート部材１を使用する際に、シート部材１と肌に触れる部分が、熱過ぎる、あるいは冷た過ぎる場合は、シート部材１と肌との触れる間に、厚みのある生地（沢山空気を含んだ素材：フェルトやニットなど）で形成されたクッション部材８を挟むことにより、簡単に温度の調整をすることができる。
【００１４】
次に、本発明の実施例につき説明する。
第1実施例（過冷房対策としてのシート部材１）
例えば、一般に市販されている使い捨てカイロを簡易熱源部材５として使用する場合について説明する。
【００１５】
一般的に市販されている使い捨てカイロの仕様例は、最高温度：７０℃／平均温度：５５℃／持続時間：２０時間（４０℃以上保持し、持続する時間）とされている。
【００１６】
平均温度５５℃は、温かさを通り越して、熱く感じる温度であり、長時間同じ場所にあて続けると低温火傷をしてしまう。よって実際には、使用者はあてる場所を頻回に移動させて使用しているのが実情である。
そして前記カイロの一般的な大きさは、横（幅）１３０ｍｍ×縦９５ｍｍのものが多い（厚みは約７ｍｍ）。
【００１７】
人が長時間快適と感じる温もりとして求められる温度は、人肌程度の温度であり、例えば両太ももが同時に温まる幅のもの、すなわち約３０ｃｍの幅のすべての部位が適度に温まるものを求める声は多い。本発明は、その要求を満たすために創案されたともいえる。
【００１８】
本発明における簡易熱源部材５の温度は前述したとおり、平均５５℃であるが、シート部材１の長手方向両端側は熱伝導部材３によって人肌よりも温かい温度、すなわち３８℃前後にすることができ、それをもって、全体にわたって温めることができる構成になっている。
【００１９】
使い捨てカイロは携帯用として小型化したものが市販されていることもあり、本発明のシート部材１は、腰を温める、腹部を温める、首筋を温める、両太ももを温める、ふくらはぎを温める、両足を温めるなどの身体の各部位への用途に最適である。
【００２０】
また、直接的に身に着けるものだけではなく、枕、クッション、+ぬいぐるみなどに仕込み、間接的な温もりや必要とする時に手や足などで触れることができるものにもなる。
【００２１】
次に、本発明によるシート部材１の構成につき図１及び図２を参照して説明する。なお、図１及び図２に示すシート部材１は説明上長さを短くしたものを表示しており、本来のシート部材１は長さが３０ｃｍ以上のものを使用するものとしている。
【００２２】
まず、前述したように使い捨てカイロなどの簡易熱源部材５を熱源として有する。
そして、該簡易熱源部材５の出し入れを容易にした構造のポケット状収納袋２を有する。
該収納袋２は、例えば、薄い生地の繊維部材で方形状の袋状にして製作し、その収納袋２の中に使い捨てカイロなどの簡易熱源部材５を仕込む。
【００２３】
次いで、前記簡易熱源部材５を収納した収納袋２を該収納袋２より例えば約３倍程度長い、長方形状をなす銀箔などの薄いシート状に形成された金属箔、すなわち熱伝導部材３を用意する。銀箔などの熱伝導部材３は熱伝導性に優れており、広範囲にわたり熱源からの熱を伝えることができる。
【００２４】
すなわち、図に示すように、長方形状の熱伝導部材３を横方向に広げ、その中央位置に簡易熱源部材５を収納した収納袋２を設置する。
なお、シート状の熱伝導部材５の下には薄い繊維部材で構成されたカバーシート６が添着される。該カバーシート６は美的外観の優れたものを使用するとよい。
【００２５】
横方向に広げられた前記カバーシート６、熱伝導部材５及び収納袋２との固定方法は限定していないが、両面テープ７などの接着部材７を用いて固定すればよい。
【００２６】
熱伝導部材５の中央位置に取り付けられた収納袋２を覆うべくもう１枚のカバーシート６を用意し、該カバーシート６をその上に重ね合わせる。
なお、重ね合わせるカバーシート６には、あらかじめ薄いシート状の銀箔２などで構成された熱伝導部材５をその内面に取り付けておき、２枚の熱伝導シート３で前記簡易熱源部材５が収納された収納袋２を挟み込んでおくのがよい。２枚の熱伝導部材３で挟み込むことにより、シート部材１の両面側において熱が行き渡ることになる。
【００２７】
前記２枚の熱伝導シート３が直接接する部分は、両面テープ等の接着部材７で接着しておく。このように２枚の熱伝導部材３で挟み込んでおけば、シート部材１の両側面にわたって熱源からの熱を伝えることができる。
【００２８】
なお、前記熱伝導部材３の枚数であるが、２枚で挟み込む場合のほか、場合によっては片側の面だけの１枚の場合も考えられるし、挟み込む熱伝導部材３につき、該熱伝導部材３を２枚以上重ね合わせて使用し、その熱伝導性や保温性を向上させることも考えられる。なお、熱源からの熱がシート部材１の内部にこもってしまい、思いもよらず高温になってしまうことを防止するため、また、カイロなど簡易熱源部材５に空気を送るため、図に示すように、空気孔４を設けておくこともよい。
【００２９】
すでに述べたように、このシート部材１を使用する際に、シート部材１と例えば肌に触れる部分が、熱過ぎる、あるいは冷た過ぎる場合が考えられるため、シート部材１と肌との触れる間に、例えばフェルトやニットなど沢山空気を含んだ厚い生地で形成されたクッション部材８を挟むことが好ましい。このクッション部材８を用いることにより、簡単に温度の調整をすることができ、触感が快適で気持ちが和らぐシート部材１を提供できる。
【００３０】
第２実施例（冷却対策としてのシート部材１）
シート部材１の構成は第１実施例とほぼ同様である。ただ、簡易熱源部材５として、保冷剤を使用したものである。
【符号の説明】
【００３１】
１  シート部材
２  収納袋
３  熱伝導部材
４  空気孔
５  簡易熱源部材
６  カバーシート
７  接着部材
８  クッション部材
【図１】
2022002607.tif 000003
【図２】
2022002607.tif 000004